(57)【要約】  本発明のネイルアート用スキンケアマスクパックは、ネイルの周辺部の肌を覆うようにパターン化された周辺マスク領域を有するマスクパック生地層、及び粘着液と一つ以上のスキンケア材料が混合されて前記マスクパック生地層の一面に塗布されたスキンケア粘着混合層を含む。本発明のネイルアート用スキンケアマスクパックはキューティクルを除去した後ネイルの周辺部の肌を覆ってキューティクルが除去されて外部損傷に脆弱なネイルの周辺部の肌を保護することができる。ジェルネイルの施術過程の一つであるキュアリングの過程でもネイルの周辺部の肌に紫外線が照射されることを遮断してネイルの周辺部の肌が損傷されることを防止する。また、ネイルの周辺部の肌を保護するとともに液状ジェルをネイルに塗る過程で液状ジェルがネイルの周辺部の肌につくことを防止する。それによって、ジェルネイルの施術品質を向上させることができる。
2020506787.tif 000002
【特許請求の範囲】
【請求項１】
ネイルの周辺部の肌を覆うようにパターン化された周辺マスク領域を有するマスクパック生地層と、
粘着液と一つ以上のスキンケア材料が混合されて前記マスクパック生地層の一面に塗布されたスキンケア粘着混合層と、を含むことを特徴とするスキンケアマスクパック。
【請求項２】
前記マスクパック生地層は水分透過構造を有することを特徴とする請求項１に記載のスキンケアマスクパック。
【請求項３】
前記マスクパック生地層は伸縮と伸張が可能な弾性構造を有することを特徴とする請求項１に記載のスキンケアマスクパック。
【請求項４】
前記マスクパック生地層の他面にまたは前記マスクパック生地層と前記スキンケア粘着混合層との間に形成された紫外線遮断層を含むことを特徴とする請求項１に記載のスキンケアマスクパック。
【請求項５】
前記マスクパック生地層は前記周辺マスク領域で延長されて拡張されたマスク領域を含むことを特徴とする請求項１に記載のスキンケアマスクパック。
【請求項６】
前記マスクパック生地層の他面に積層されて付着される一つ以上の臨時マスクパック生地層と、
前記臨時マスクパック生地層が積層される一面に塗布された粘着層と、を含むことを特徴とする請求項１に記載のスキンケアマスクパック。
【請求項７】
粘着液と一つ以上のスキンケア材料を混合してスキンケア粘着混合液を用意する段階と、
離型紙とマスクパック生地を用意する段階と、
前記マスクパック生地の一面に前記スキンケア粘着混合液を塗布する段階と、
前記スキンケア粘着混合液が塗布された面を前記離型紙に対向して前記離型紙に前記マスクパック生地を付着する段階と、
ネイルの周辺部の肌を覆うための構造に形状化されたマスクパターンを前記マスクパック生地に形成させるマスクパターン加工段階と、
前記離型紙と前記マスクパック生地を同時に裁断する段階と、を含むことを特徴とするスキンケアマスクパックの製造方法。
【請求項８】
前記マスクパック生地は一重の断層構造の生地または二重以上に相互粘着された複層構造の生地で構成されることを特徴とする請求項７に記載のスキンケアマスクパックの製造方法。
【発明の詳細な説明】
【技術分野】
【０００１】
本発明はスキンケア用マスクパックに関し、具体的には手足指の爪の周辺部位の肌をケアするためのネイルアート用スキンケアマスクパックに関する。
【背景技術】
【０００２】
ジェルネイルは、最近脚光を浴びているネイルアートの一領域である。爪の上にジェルネイルを施術する過程は大体以下のとおりである。まず、キューティクルの除去などの前処理過程をした後に爪の上にジェル溶液を塗る。続いて、紫外線ランプを利用して爪の上に塗布されたジェル溶液を硬化させるキュアリング過程を行う。ジェルネイルの種類によって多様な種類のジェル溶液を塗布してキュアリングする過程は数回繰り返されることができる。
【０００３】
しかしながら、キューティクルが除去されたネイルの周辺部の肌は損傷しやすい。キューティクルの除去とジェルネイルの施術が繰り返される場合、ネイルの周辺部の肌が損傷されることがある。また、繰り返されたキュアリング過程でネイルの周辺部の肌が繰り返し的に紫外線に露出される場合黒く変色されることも発生する。
【０００４】
一方、前述したようなジェルネイルの施術過程は、一般人には難しい作業である。ジェルネイル用液状ジェルをネイルの上に塗布する場合、ネイルの周辺部の肌につく場合が発生する。キュアリング後に肌についた硬化されたジェルは簡単に取られるが、この場合、ネイルの上に塗布硬化されたジェルと分離されながらジェルネイルの模様が損傷される場合も発生する。
【発明の概要】
【発明が解決しようとする課題】
【０００５】
本発明の目的は、キューティクルを除去した後外部損傷に脆弱なネイルの周辺部の肌を保護するためのネイルアート用スキンケアマスクパックを提供することにある。
【０００６】
本発明の他の目的は、キュアリングの過程でネイルの周辺部の肌に紫外線が照射されることを遮断してネイルの周辺部の肌が損傷されることを防止することができるネイルアート用スキンケアマスクパックを提供することにある。
【０００７】
本発明のまた他の目的はジェルネイルの施術過程でネイルの周辺部の肌を保護するとともにジェルネイルの施術を容易にすることができるネイルアート用スキンケアマスクパックを提供することにある。
【課題を解決するための手段】
【０００８】
前述した技術的課題を達するための本発明の一面は、ネイルアート用スキンケアマスクパックに関する。本発明のネイルアート用スキンケアマスクパックは、ネイルの周辺部の肌を覆うようにパターン化された周辺マスク領域を有するマスクパック生地層と、粘着液と一つ以上のスキンケア材料が混合されて前記マスクパック生地層の一面に塗布されたスキンケア粘着混合層とを含む。
【０００９】
一実施例において、前記マスクパック生地層は水分透過構造を有する。
【００１０】
一実施例において、前記マスクパック生地層は伸縮と伸張が可能な弾性構造を有する。
【００１１】
一実施例において、前記マスクパック生地層の他面にまたは前記マスクパック生地層と前記スキンケア粘着混合層との間に形成された紫外線遮断層を含む。
【００１２】
一実施例において、前記マスクパック生地層は前記周辺マスク領域で延長されて拡張されたマスク領域を含む。
【００１３】
一実施例において、前記マスクパック生地層の他面に積層されて付着される一つ以上の臨時マスクパック生地層と前記臨時マスクパック生地層の積層される一面に塗布された粘着層とを含む。
【００１４】
本発明の他面はネイルアート用スキンケアマスクパックの製造方法に関する。本発明のネイルアート用スキンケアマスクパックの製造方法は、粘着液と一つ以上のスキンケア材料を混合してスキンケア粘着混合液を用意する段階と、離型紙とマスクパック生地を用意する段階と、前記マスクパック生地の一面に前記スキンケア粘着混合液を塗布する段階と、前記スキンケア粘着混合液が塗布された面を前記離型紙に対向して前記離型紙に前記マスクパック生地を付着させる段階と、ネイルの周辺部の肌を覆うための構造に形状化されたマスクパターンを前記マスクパック生地に形成させるマスクパターン加工段階と、前記離型紙と前記マスクパック生地を同時に裁断する段階とを含む。
【００１５】
一実施例において、前記マスクパック生地は一重の断層構造の生地または二重以上に相互粘着された複層構造の生地で構成される。
【発明の効果】
【００１６】
本発明のネイルアート用スキンケアマスクパックは、キューティクルを除去した後ネイルの周辺部の肌を覆ってキューティクルが除去されて外部損傷に脆弱なネイルの周辺部の肌を保護することができる。ジェルネイルの施術過程の一つであるキュアリング過程でもネイルの周辺部の肌に紫外線が照射されることを遮断してネイルの周辺部の肌が損傷されることを防止する。また、ネイルの周辺部の肌を保護するとともに液状ジェルをネイルに塗る過程で液状ジェルがネイルの周辺部の肌につくことを防止する。それにより、ジェルネイルの施術品質を向上させることができる。
【図面の簡単な説明】
【００１７】
【図１】爪上にキューティクルが除去される前後の指を示す図面である。
【図２】本発明の好ましい実施例によるネイルアート用スキンケアマスクパックを爪周辺の肌に付着する方式を例示する図面である。
【図３】本発明の第１実施例によるスキンケアマスクパックの階層構造を説明するための断面図である。
【図４】本発明のスキンケアマスクパックの多様な変形例を例示的に示す図面である。
【図５】本発明のスキンケアマスクパックの多様な変形例を例示的に示す図面である。
【図６】本発明のスキンケアマスクパックを利用してジェルネイルを施術する過程を順次に示す順序図である。
【図７】本発明のスキンケアマスクパックに紫外線遮断層を付加した変形例を示す断面図である。
【図８】本発明の第２実施例によるスキンケアマスクパックの階層構造を示す図面である。
【図９】図８のスキンケアマスクパックを利用してジェルネイルを施術する過程を順次に示す順序図である。
【図１０】本発明のスキンケアマスクパックの製造過程を順次に示す順序図である。
【発明を実施するための形態】
【００１８】
本発明を充分に理解するために、本発明の好ましい実施例を添付図面を参照して説明する。本発明の実施例は多様な形態に変形されたり応用されることができる。また、本発明の好ましい実施例は本発明を特定の形態に限定するためではない。即ち、本発明の根本的な主旨及び技術範囲に含まれる変更、主旨に違背されない類似物の代替も本発明の範囲に含まれるものと理解すべきである。本発明の実施例は本発明の技術分野における通常の知識を有する者に本発明をより理解しやすく説明するために提供されるのである。本発明の実施例で提示された図面は実際より誇張されたり省略されて表現されることができる。図面で同じ構成は同じ参照符号で示した場合があることに留意すべきである。また、本発明の要旨を不必要に曖昧にする虞があると判断される公知機能及び構成に対する詳細な技術は省略されてもよい。以下添付された図面を参考して本発明を詳しく説明する。
【００１９】
図１は爪上にキューティクルが除去される前後の指を示す図面であり、図２は本発明の好ましい実施例によるネイルアート用スキンケアマスクパックを爪周辺の肌に付着した場合を例示する図面である。
【００２０】
図１及び図２によれば、通常ジェルネイルの施術過程に先立ってキューティクル３２を取り除く。図１のａとｂにはキューティクル３２が除去される前後の様子をそれぞれ示す。キューティクル３２が除去された後、爪後面肌３４は外部損傷に脆弱になる。そこで、キューティクル３２が除去された状態の指１０に、図２に示したように、ネイル２０の周辺部の肌である爪側面肌３０と爪後面肌３４が覆われられるようにスキンケアマスクパック５０を付着する。爪側面肌３０と爪後面肌３４が覆われるようにするためにスキンケアマスクパック５０は「Ｕ」字状に構造化された周辺マスク領域を有するマスクパターンを有することができる。即ち、二つのマスクパックの側端部５１、５３は爪２０の両側の爪側面肌３０を覆い、マスクパック後端部５５はキューティクル３２が除去された爪後面肌３４を覆うようにスキンケアマストパック５０は「Ｕ」字状に構造化されたマスクパターンを有する。
【００２１】
スキンケアマスクパック５０が付着された状態でジェルネイル施術を実施することによってキューティクル３４が除去されて敏感な爪後面肌３４を保護することができる。また、スキンケアマスクパック５０によって爪後面肌３４だけでなく爪側面肌３０も覆われるので、以後の紫外線硬化過程であるキュアリング過程で爪の周辺部の肌が紫外線に直接露出されることを防止して紫外線による爪の周辺部の肌が損傷されることを防止することができる。また、液状ジェルを塗る場合にもスキンケアマスクパック５０によって爪の周辺部の肌に液状ジェルが塗られることを防止することができて、ジェルネイル施術品質を向上させることができる。そこで、ネイルアート専門家だけでなく一般人もスキンケアマスクパックを利用して高品質のジェルネイルを施術することができる。
【００２２】
図３は本発明の第１実施例によるスキンケアマスクパックの階層構造を説明するための断面図である。
【００２３】
図３によれば、本発明の第１実施例によるスキンケアマスクパック５０は、マスクパック生地層５２と、その一面に粘着されたスキンケア粘着混合層５４とで構成される。スキンケア粘着混合層５４は粘着液と一つ以上のスキンケア材料が混合されてマスクパック生地層５２の一面に塗布されたのである。マスクパック生地層５２に用いられる生地は水分透過構造を有することが好ましい。また、マスクパック生地層５２に用いられる生地は伸縮と伸張が可能な弾性構造を有することが好ましい。マスクパック生地層５２がこのような機能を有するようにするために機能性生地の一つであるスパンデックスを用いることができる。
【００２４】
スキンケア粘着混合層５４は粘着液と一つ以上のスキンケア材料が混合されたのである。スキンケア材料は、例えば保湿剤、美白剤、ビタミンのような栄養成分剤などの一つ以上の材料を用いることができる。
【００２５】
図４及び図５は本発明のスキンケアマスクパックの多様な変形例を例示的に示す図面である。
【００２６】
図４のａに示したように、一例のスキンケアマスクパック５０は、「Ｕ」字状のマスクパターンを有するように構造化されたものであってもよい。図４のｂのように、他の例のスキンケアマスクパック５０ａは二つのマスクパック側端部５１、５３とこれらの一端が連結されるマスクパック前端部５７が構成されて全体的に「Ｏ」字状のマスクパターンを有するように構造化されたものであってもよい。商用性製品に製作される場合、「Ｕ」字状のスキンケアマスクパック５０ａの内側中空領域にバンド型スキンケアマスクパック５０ｂを構成してもよい。
【００２７】
図５によれば、また他の一例のスキンケアマスクパック５０ｃはマスクパックの後端延長部５５−１とマスクパック側端羽部５５−２、５５−３とで構成された、拡張されたマスク領域を有するようにマスクパターンが構造化されることができる。即ち、マスクパック側端部５１、５３とマスクパック後端部５５で構成される周辺マスク領域で延長して拡張されたマスク領域を有するようにすることができる。このような拡張されたマスク領域はマスクパック後端延長部５５−１によって指を長く包むことができ、マスクパック側端羽部５５−２、５５−３によって指を包むことができて、キュアリングの過程で指の肌を広く保護することができる。
【００２８】
図６は本発明のスキンケアマスクパックを利用してジェルネイルを施術する過程を順次に示す順序図である。
【００２９】
図６によれば、段階Ｓ１０でジェルネイルの施術のためにキューティクルの除去過程が行われる。段階Ｓ１２でスキンケアマスクパックをキューティクルが除去されたネイルの周辺部の肌を覆うように付着する。段階Ｓ１４でスキンケアマスクパックが付着された状態でジェル溶液をネイルに塗布する。続いて、段階Ｓ１６でネイル上に塗布されたジェル溶液に紫外線を照射して硬化させるキュアリング過程を行う。キュアリング過程が完了されると、段階Ｓ１８でスキンケアマスクパックを除去することでジェルネイルの施術を完了する。
【００３０】
このように、本発明のネイルアート用スキンケアマスクパックは、キューティクルを除去した後ネイルの周辺部の肌を覆ってキューティクルが除去されて外部損傷に脆弱なネイルの周辺部の肌を保護する。ジェルネイルの施術過程の一つであるキュアリング過程でもネイルの周辺部の肌に紫外線が照射されることを遮断してネイルの周辺部の肌が損傷されることを防止する。また、ネイルの周辺部の肌を保護するとともに液状ジェルをネイルに塗る過程で液状ジェルがネイルの周辺部の肌につくことを防止する。そこでネイルアート専門家だけでなく一般人もスキンケアマスクパックを利用して高品質のジェルネイルを施術することができる。
【００３１】
図７は本発明のスキンケアマスクパックに紫外線遮断層を付加した変形例を示す断面図である。
【００３２】
図７によれば、また他の変形例によるスキンケアマスクパック５０ｃは、紫外線が透過されることを防止するために紫外線遮断層５６を付加して構成することができる。紫外線遮断層５６はマスクパック生地層５２とスキンケア粘着混合層５４との間に付加されてもよい。または、マスクパック生地層５２の他面に紫外線遮断層５６が構成されてもよい。このような構成を有するスキンケアマスクパック５０ｃはキュアリングの過程で紫外線がマスクパック生地層５２の複数の通気性孔を透過して肌に照射されることをさらに防止することができる。
【００３３】
図８は本発明の第２実施例によるスキンケアマスクパックの階層構造を示す図面である。
【００３４】
図８によれば、本発明の第２実施例によるスキンケアマスクパック５０ｄは、マスクパック生地層５２の他面即ち上部に臨時マスクパック生地層６０が付着される。臨時マスクパック生地層６０は粘着層６２によってマスクパック生地層５２に付着される。
【００３５】
図９は図８のスキンケアマスクパックを利用してジェルネイルを施術する過程を順次に示す順序図である。
【００３６】
図９によれば、本発明の第２実施例によるスキンケアマスクパック５０ｄを利用したジェルネイルの施術過程は、段階Ｓ２０でジェルネイルを施術するためにキューティクルの除去過程が行われ、段階Ｓ２２でスキンケアマスクパック５０ｄをキューティクルが除去されたネイルの周辺部の肌を覆うように付着する。そして、段階Ｓ２４でスキンケアマスクパック５０ｄが付着された状態でジェル溶液をネイルに塗布する。
【００３７】
ジェル溶液を塗布する過程で、スキンケアマスクパック５０ｄにジェル溶液がつく場合がある。そこで、段階Ｓ２５で臨時マスクパック生地層６０のみをスキンケアマスクパック５０ｄから取り除く。そして、段階Ｓ２７でネイルの上に塗布されたジェル溶液に紫外線を照射して硬化させるキュアリング過程を行う。キュアリング過程が完了されると、段階Ｓ２９でスキンケアマスクパック５０ｄを全体的に取り除いてジェルネイル施術を完了する。
【００３８】
図１０は本発明のスキンケアマスクパックの製造過程を順次に示す順序図である。
【００３９】
図１０によれば、本発明のスキンケアマスクパックは次のような製造方法によって製造される。まず、段階Ｓ３０で、粘着液と一つ以上のスキンケア材料を混合してスキンケア粘着混合液を用意する。段階Ｓ３２で離型紙とマスクパック生地を用意する。段階Ｓ３４でマスクパック生地の一面にスキンケア粘着混合液を塗布する。スキンケア粘着混合液を塗布する方式はローラーコーディング方式かスプレー噴射方式などによって行われることができる。スキンケア粘着混合液が塗布された後自然乾燥または熱乾燥などの方式によって乾燥過程が行われることもできる。
【００４０】
続いて、段階Ｓ３５でスキンケア粘着混合液が塗布された面を離型紙に対向して離型紙にマスクパック生地を付着する。段階Ｓ３７で、ネイルの周辺部の肌を覆うための構造に形状化されたマスクパターンをマスクパック生地に形成させるマスクパターン加工段階を行う。マスクパターンの加工は、例えばトムソン加工で行われることができる。そして、段階Ｓ３９で離型紙とマスクパック生地を同時に裁断してスキンケアマスクパックの製造過程を完了する。
【００４１】
前述したように、マスクパック生地は一重の断層構造の生地または二重以上に相互粘着された複層構造の生地で構成されることができる。複層構造生地を別途の製造過程を通じて製造することもでき、スキンケアマスクパックを製造する過程で複層生地を構成することもできる。複層構造は二層以上に構成することもできる。ジェルネイル施術過程で二回以上液状ジェルを塗布し、二回以上のキュアリング過程を行う過程で臨時マスクパック生地層を一層ずつ取り除いて行くことができる。
【符号の説明】
【００４２】
１０：指、２０：爪、３０：爪側面肌、３２：キューティクル、３４：爪後面肌、５０，５０ａ，５０ｂ，５０ｃ：スキンケアマスクパック、５１、５３：マスクパック側端部、５２：マスクパック生地層、５４：スキンケア粘着層、５５：マスクパック後端部、５７：マスクパック全段部、５５−１：マスクパック後端延長部、５５−２，５５−３：マスクパック側端羽部、５６：紫外線遮断層、６０：臨時マスクパック生地層、６２：粘着層
【図１（ａ）】
2020506787.tif 000003
【図１（ｂ）】
2020506787.tif 000004
【図２】
2020506787.tif 000005
【図３】
2020506787.tif 000006
【図４（ａ）】
2020506787.tif 000007
【図４（ｂ）】
2020506787.tif 000008
【図４（ｃ）】
2020506787.tif 000009
【図５】
2020506787.tif 000010
【図６】
2020506787.tif 000011
【図７】
2020506787.tif 000012
【図８】
2020506787.tif 000013
【図９】
2020506787.tif 000014
【図１０】
2020506787.tif 000015
【国際調査報告】
2020506787.tif 000016
2020506787.tif 000017
2020506787.tif 000018
2020506787.tif 000019